(57)【要約】【課題】複数の管理区域にそれぞれ設けられた電気錠を、各管理区域近傍の現場から迅速に一括施錠又は一括解錠することが可能な構成を提供とする。【解決手段】入退管理システム１は、複数の電気錠５０の一括制御を許可する固有情報を特定するデータを一括制御許可条件として登録するメモリ７０ｃを備えている。そして、一括制御部８０は、複数のカードリーダ６０のいずれかによって読み取られた第２固有ＩＤがメモリ７０ｃに登録された一括制御許可条件を満たす場合に、複数の電気錠５０の全て又は特定の複数に対して一括施錠又は一括解錠を行うように制御する。【選択図】図７
2014211035.tif 000002
【特許請求の範囲】
【請求項１】
施設内の複数の管理区域にそれぞれ設けられた各入退口の扉をそれぞれ施錠及び解錠可能な複数の電気錠と、
複数の前記電気錠にそれぞれ対応して設けられ、第１固有情報が記録された第１種類の第１記録媒体と、第２固有情報が記録された第２種類の第２記録媒体とを読取可能な複数の読取部と、
前記電気錠の個別の解錠を許可する複数の固有情報を特定するデータを個別解錠許可条件として登録する第１登録部と、
複数の前記電気錠の一括制御を許可する固有情報を特定するデータを一括制御許可条件として登録する第２登録部と、
前記読取部によって読み取られた前記第１固有情報が前記第１登録部に登録された前記個別解錠許可条件を満たす場合に、その読み取った前記読取部に対応する前記電気錠を解錠する個別解錠制御部と、
複数の前記読取部のいずれかによって読み取られた前記第２固有情報が前記第２登録部に登録された前記一括制御許可条件を満たす場合に、複数の前記電気錠の全て又は特定の複数に対して一括施錠又は一括解錠を行うように制御する一括制御部と、
を備えたことを特徴とする入退管理システム。
【請求項２】
前記第２登録部は、いずれかの前記第１記録媒体の前記第１固有情報と、いずれかの前記第２記録媒体の前記第２固有情報とを対応付けて前記一括制御許可条件として登録しており、
前記一括制御部は、いずれかの前記読取部によって前記第１記録媒体の前記第１固有情報及び前記第２記録媒体の前記第２固有情報が読み取られ、それら読み取られた前記第１固有情報と前記第２固有情報との対応関係が前記第２登録部に登録された前記一括制御許可条件を満たす場合に前記一括施錠又は前記一括解錠を行うように制御することを特徴とする請求項１に記載の入退管理システム。
【請求項３】
前記個別解錠制御部は、前記読取部によって前記第１固有情報が読み取られた場合において当該第１固有情報が前記個別解錠許可条件を満たす場合、その読み取った前記読取部に対応する前記電気錠を解錠する制御を行い、
前記一括制御部は、前記読取部によって前記第１固有情報が読み取られた場合において当該第１固有情報が前記一括制御許可条件の対象である場合、少なくとも当該第１固有情報の読み取り後の一定期間、当該一括制御許可条件に該当する前記第２固有情報が前記読取部によって読み取られたか否かを確認し、当該一括制御許可条件に該当する前記第２固有情報が前記読取部によって読み取られた場合に前記一括解錠を行うように制御することを特徴とする請求項２に記載の入退管理システム。
【請求項４】
複数の前記電気錠のそれぞれの前記管理区域毎に報知部が設けられ、
前記報知部は、前記一括制御部が前記一括施錠又は前記一括解錠を行う場合に所定の報知を行うことを特徴とする請求項１から請求項３のいずれか一項に記載の入退管理システム。
【請求項５】
前記読取部によって前記第１固有情報が読み取られ、且つ当該読取部によって読み取られた前記第２固有情報が前記一括制御許可条件を満たさない場合に、前記読取部によって読み取られた前記第１固有情報を記憶する履歴記憶部を有することを特徴とする請求項１から請求項４のいずれか一項に記載の入退管理システム。
【請求項６】
前記一括制御部は、複数の前記電気錠にそれぞれ対応し且つ複数の前記読取部にそれぞれ対応して設けられた複数のコントローラを備え、
複数の前記読取部のいずれかによって前記第２記録媒体が読み取られた場合、その読み取りを行った前記読取部に対応する前記コントローラは、当該第２記録媒体の前記第２固有情報が前記第２登録部に登録された前記一括制御許可条件を満たす場合に、当該コントローラ以外の他の前記コントローラに対して施錠又は解錠を指示し、それらの他の前記コントローラは、対応する前記電気錠を、その指示に応じて施錠又は解錠することを特徴とする請求項１から請求項５のいずれか一項に記載の入退管理システム。
【請求項７】
前記一括制御部は、前記一括施錠又は前記一括解錠を行った場合に、その一括施錠状態又は一括解錠状態を予め設定された一定時間が経過するまで維持することを特徴とする請求項１から請求項６のいずれか一項に記載の入退管理システム。
【請求項８】
前記一括制御部は、複数の前記読取部のいずれかによって読み取られた前記第２固有情報が前記一括制御許可条件を満たす場合に前記一括施錠を行う構成であり、更に、前記一括施錠を行った後、所定の一括施錠解除条件を満たすまでの間、いずれかの前記読取部によって前記個別解錠許可条件を満たす前記第１固有情報が読み取られた場合、前記個別解錠制御部による解錠制御を停止して前記一括施錠の状態を維持することを特徴とする請求項１から請求項７のいずれか一項に記載の入退管理システム。
【請求項９】
前記一括制御部は、前記一括施錠又は前記一括解錠のいずれか一方の制御を行った後、更にいずれかの前記読取部によって前記一括制御許可条件を満たす前記第２固有情報が読み取られた場合に、前記一方の制御とは逆の他方の制御を行うことを特徴とする請求項１から請求項８のいずれか一項に記載の入退管理システム。
【請求項１０】
前記一括制御部は、前記一括施錠又は前記一括解錠のいずれか一方の制御を行った後、更にいずれかの前記読取部によって前記一括制御許可条件を満たす前記第２固有情報が読み取られた場合に、前記一方の制御による前記一括施錠又は前記一括解錠の状態を解除することを特徴とする請求項１から請求項８のいずれか一項に記載の入退管理システム。
【発明の詳細な説明】
【技術分野】
【０００１】
本発明は、入退管理システムに関するものである。
【背景技術】
【０００２】
一般的な入退管理システムでは、施設内における複数の管理区域（例えば部屋等）の出入口にそれぞれ電気錠及びカードリーダを設け、これらに接続されるコントローラによって電気錠の施解錠を制御している。この種の入退管理システムでは、各コントローラと通信可能な上位の管理装置が設けられており、管理区域で発生する入退異常等をコントローラで検知し、異常に関する情報をコントローラから管理装置に送信するような構成となっている。
【０００３】
例えば、特許文献１で開示される入退室管理システム（１）では、カードリーダ（９，９Ａ〜９Ｍ，９Ｎ）や、電気錠（１０，１０Ａ〜１０Ｍ，１０Ｎ）等の入退室管理装置（３〜３Ｎ）を構成する部分に緊急度の高い異常が発生した場合に、異常発生通報（異常発生信号）が、コントローラ（１１〜１１Ｎ）の送信装置（２８）から電話回線（４）を介して管制センター（６）に送信されるようになっている。そして、管制センター（６）に、異常発生通報（異常発生信号）が送信されると、管制センター（６）から保守技術者に対して、入退室管理装置（３〜３Ｎ）のうちの、緊急度の高い異常が発生した入退室管理装置（３〜３Ｎ）への出動指示がなされるようになっている。
【先行技術文献】
【特許文献】
【０００４】
【特許文献１】特開２００８−１５７０１５号公報
【発明の概要】
【発明が解決しようとする課題】
【０００５】
ところで、上述したような入退管理システムでは、災害時等において各管理区域（各部屋等）で活動している者の避難経路を迅速に確保すべき場合など、各管理区域の電気錠を一括して解錠すべき場合がある。或いは、犯罪発生時等において各管理区域を迅速に現状保存すべき場合など、各管理区域の電気錠を一括して施錠すべき場合もある。従来の入退管理システムでは、このような一括処理を行う場合、各管理区域から離れた部屋（オペレータ室等）から管理用のサーバなどを利用して各電気錠を制御するコントローラに解錠指示や施錠指示を発することが考えられる。
【０００６】
しかしながら、このような方法では、必ずオペレータ室等から制御しなければならないため、現場にて迅速に一括施錠や一括解錠を行うことはできない。また、このようにオペレータ室等に指令系統を集中させて対処する方法では、オペレータ室の装置（管理用のサーバ等）に異常が生じた場合、全ての管理区域に対する対応が大きく滞ってしまう問題もある。特に、制御すべき電気錠の数が多く、管理区域（部屋等）が広範囲に亘る施設では、管理用のサーバ等に異常が生じた場合の次善策としてオペレータが各管理区域に向かって人手によって対応しようとしても、全ての電気錠を迅速に施錠或いは解錠することは困難である。
【０００７】
本発明は、上述した課題を解決するためになされたものであり、複数の管理区域にそれぞれ設けられた電気錠を、各管理区域近傍の現場から迅速に一括施錠又は一括解錠することが可能な入退管理システムを提供することを目的とする。
【課題を解決するための手段】
【０００８】
上記目的を達成するため、本発明は、
施設内の複数の管理区域にそれぞれ設けられた各入退口の扉をそれぞれ施錠及び解錠可能な複数の電気錠と、
複数の前記電気錠にそれぞれ対応して設けられ、第１固有情報が記録された第１種類の第１記録媒体と、第２固有情報が記録された第２種類の第２記録媒体とを読取可能な複数の読取部と、
前記電気錠の個別の解錠を許可する複数の固有情報を特定するデータを個別解錠許可条件として登録する第１登録部と、
複数の前記電気錠の一括制御を許可する固有情報を特定するデータを一括制御許可条件として登録する第２登録部と、
前記読取部によって読み取られた前記第１固有情報が前記第１登録部に登録された前記個別解錠許可条件を満たす場合に、その読み取った前記読取部に対応する前記電気錠を解錠する個別解錠制御部と、
複数の前記読取部のいずれかによって読み取られた前記第２固有情報が前記第２登録部に登録された前記一括制御許可条件を満たす場合に、複数の前記電気錠の全て又は特定の複数に対して一括施錠又は一括解錠を行うように制御する一括制御部と、
を備えたことを特徴とする。
【発明の効果】
【０００９】
請求項１の発明では、複数の電気錠の一括制御を許可する固有情報を特定するデータを一括制御許可条件として登録する第２登録部と、複数の読取部のいずれかによって読み取られた第２固有情報が第２登録部に登録された一括制御許可条件を満たす場合に、複数の電気錠の全て又は特定の複数に対して一括施錠又は一括解錠を行うように制御する一括制御部と、を備える構成となっている。
この構成では、各管理区域の現場にて第２記録媒体（第２登録部に登録された第２固有情報が記録された記録媒体）を読取部に読み取らせることにより、複数の管理区域の全て又は特定の複数を一括施錠又は一括解錠することができる。従って、第２記録媒体を所持する者が管理区域又はその近くにいるときにはより迅速な一括施錠又は一括解錠が可能となる。
【００１０】
請求項２の発明では、第２登録部は、いずれかの第１記録媒体の第１固有情報と、いずれかの第２記録媒体の第２固有情報とを対応付けて一括制御許可条件として登録しており、一括制御部は、いずれかの読取部によって第１記録媒体の第１固有情報及び第２記録媒体の第２固有情報が読み取られ、それら読み取られた第１固有情報と第２固有情報との対応関係が第２登録部に登録された一括制御許可条件を満たす場合に一括施錠又は一括解錠を行うように制御する構成となっている。
この構成では、第１固有情報が記録された第１記録媒体と、当該第１固有情報と対応付けられた第２固有情報が記録された第２記録媒体とを所持していないと一括施錠又は一括解錠を行うことができないため、権限の無い者が何らかの方法で第２記録媒体を入手して使用するような不正使用のケースにおいて一括施錠又は一括解錠を行わないようにすることができる。
【００１１】
請求項３の発明では、個別解錠制御部は、読取部によって第１固有情報が読み取られた場合において当該第１固有情報が個別解錠許可条件を満たす場合、その読み取った読取部に対応する電気錠を解錠する制御を行うように構成されている。そして、一括制御部は、読取部によって第１固有情報が読み取られた場合において当該第１固有情報が一括制御許可条件の対象である場合、少なくとも当該第１固有情報の読み取り後の一定期間、当該一括制御許可条件に該当する第２固有情報が読取部によって読み取られたか否かを確認し、当該一括制御許可条件に該当する第２固有情報が読取部によって読み取られた場合に一括施錠又は一括解錠を行うように制御するようになっている。
この構成では、第１記録媒体を所持していれば通常の個別解錠を支障なく行うことができる。また、第１記録媒体の読み取り後に第２記録媒体を確認するようにしているため、権限を有する者は第１記録媒体に続けて第２記録媒体を読み取らせさえずれば両記録媒体の対応関係を装置側に認識させて円滑に一括施錠又は一括解錠を行うことができる。
【００１２】
請求項４の発明では、複数の電気錠のそれぞれの管理区域毎に報知部が設けられている。そして、報知部は、一括制御部が一括施錠又は一括解錠を行う場合に所定の報知を行うように構成されている。
この構成では、一括施錠又は一括解錠が行われた場合にその旨を外部に知らしめることができ、その報知を受けた者は一括施錠又は一括解錠に応じた対応をとりやすくなる。一括施錠又は一括解錠に応じた対応は様々に考えられ、例えば、一括施錠時や一括解錠時の対応マニュアルが定められた環境では、一括施錠又は一括解錠がなされたことを迅速に把握してマニュアルに従った対応をとりやすくなる。
【００１３】
請求項５の発明では、読取部によって第１固有情報が読み取られ、且つ当該読取部によって読み取られた第２固有情報が一括制御許可条件を満たさない場合に、読取部によって読み取られた第１固有情報を記憶する履歴記憶部を有する構成となっている。
この構成では、第２固有情報が一括制御許可条件を満たさない場合に関連して読み取られた第１固有情報を履歴として残しておくことができるため、不正操作や誤った操作が行われた場合に真相究明や原因究明などを行いやすくなる。
【００１４】
請求項６の発明では、一括制御部は、複数の電気錠にそれぞれ対応し且つ複数の読取部にそれぞれ対応して設けられた複数のコントローラを備える構成となっている。そして、複数の読取部のいずれかによって第２記録媒体が読み取られた場合、その読み取りを行った読取部に対応するコントローラは、当該第２記録媒体の第２固有情報が第２登録部に登録された一括制御許可条件を満たす場合に、当該コントローラ以外の他のコントローラに対して施錠又は解錠を指示し、それらの他のコントローラは、対応する電気錠を、その指示に応じて施錠又は解錠するようになっている。
この構成では、第２記録媒体の読み取りを行った読取部に対応するコントローラから他のコントローラに直接的に一括施錠又は一括解錠の指示を発することができるため、一括制御許可条件の成立から他のコントローラによる実際の施錠制御又は解錠制御までの時間を極力短くすることができ、迅速な一括制御が可能となる。
なお、システムを管理するサーバなどを一旦経由して当該サーバから他のコントローラに上記指示を出力することも考えられるが、このように構成すると、サーバが故障などによってダウンしたときに他のコントローラに上記指示（一括施錠又は一括解錠の指示）を出力できなくなる懸念がある。これに対し、本構成では、このような懸念がなく、上記指示（一括施錠又は一括解錠の指示）をより確実に他のコントローラへ出力することができる。
【００１５】
請求項７の発明では、一括制御部は、一括施錠又は一括解錠を行った場合に、その一括施錠状態又は一括解錠状態を予め設定された一定時間が経過するまで維持する構成となっている。
この構成では、設定された一定時間が経過するまで一括施錠状態又は一括解錠状態が維持されるため、少なくとも一定時間の間は一括施錠又は一括解錠の効果を確実なものにすることができる。また、設定によって一括施錠又は一括解錠を維持する時間を定めることができるため、使用環境に合わせた所望の設定時間で一括施錠又は一括解錠を行うことができる。
【００１６】
請求項８の発明では、一括制御部は、複数の読取部のいずれかによって読み取られた第２固有情報が一括制御許可条件を満たす場合に一括施錠を行う構成であり、更に、一括施錠を行った後、所定の一括施錠解除条件を満たすまでの間、いずれかの読取部によって個別解錠許可条件を満たす第１固有情報が読み取られた場合、個別解錠制御部による解錠制御を停止して一括施錠の状態を維持する構成となっている。
この構成では、一括施錠が行われた後、一括施錠解除条件を満たすまでの間は、個別の解錠操作を排除して一括施錠状態を確実に維持することができ、例えば管理区域の現状保存等を行う場合などにおいてより有利になる。
【００１７】
請求項９の発明では、一括制御部は、一括施錠又は一括解錠のいずれか一方の制御を行った後、更にいずれかの読取部によって一括制御許可条件を満たす第２固有情報が読み取られた場合に、上記一方の制御とは逆の他方の制御を行うように構成されている。
この構成では、例えば一括施錠を行った後、第２記録媒体の操作によって一括解錠を行うことが可能となり、一括施錠を行った後、何らかの理由によって一括解錠状態にしたい場合（例えば、犯罪などの発生時に一括施錠状態にした後、しばらくして一括解錠状態に戻したい場合など）において作業負担を抑えて迅速に対応することができる。或いは、一括解錠を行った後、第２記録媒体の操作によって一括施錠を行うことが可能となり、一括解錠を行った後、何らかの理由によって一括施錠状態にしたい場合（例えば、災害等の非常時に一括解錠状態にした後、しばらくして一括施錠状態に戻したい場合など）において作業負担を抑えて迅速に対応することができる。
【００１８】
請求項１０の発明では、一括制御部は、一括施錠又は一括解錠のいずれか一方の制御を行った後、更にいずれかの読取部によって一括制御許可条件を満たす第２固有情報が読み取られた場合に、一方の制御による一括施錠又は一括解錠の状態を解除するように構成されている。
この構成では、一括施錠又は一括解錠が行われた後、その制御状態の維持が不要となった場合に作業負担を抑えて迅速に解除することができる。
【図面の簡単な説明】
【００１９】
【図１】図１は、本発明の第１実施形態に係る入退管理システムを概略的に例示する説明図である。
【図２】図２は、図１の入退管理システムに用いられる管理サーバ及び入退コントローラの電気的構成を概略的に例示する説明図である。
【図３】図３は、図１の入退管理システムに用いられるカードリーダを概略的に例示する説明図である。
【図４】図４は、図１の入退管理システムに用いられるカードリーダの電気的構成を例示するブロック図である。
【図５】図５（Ａ）は、図１の入退管理システムに用いられる運用カードの電気的構成を例示するブロック図である。図５（Ｂ）は、図１の入退管理システムに用いられる特定ＩＣカードの電気的構成を例示するブロック図である。
【図６】図６は、図１の入退管理システムに用いられる入退コントローラが保持するシステム情報を例示する説明図である。
【図７】図７は、図１の入退管理システムで行われる一括解錠処理の流れを例示するフローチャートである。
【図８】図８は、図１の入退管理システムで行われる一括施錠処理の流れを例示するフローチャートである。
【図９】図９は、各個人に対する第１固有情報（第１固有ＩＤ）と第２固有情報（第２固有ＩＤ）との対応データの一例を概念的に説明する説明図である。
【発明を実施するための形態】
【００２０】
[第１実施形態]
以下、本発明を具現化した第１実施形態について、図面を参照して説明する。
（入退管理システムの構成）
まず、第１実施形態に係る入退管理システム１（以下、単にシステム１ともいう）の全体構成の概要について説明する。図１に示す入退管理システム１は、各セキュリティエリア３の入退口５での通過を管理するシステムとして構成されており、具体的には、複数のセキュリティエリア３にそれぞれ設けられた電気錠５０を、各セキュリティエリア３の近傍にて迅速に一括施錠又は一括解錠することが可能なシステムとして構成されている。
【００２１】
図１に示すように、この入退管理システム１には、施設内（施設３の内部）の所定位置（管理部屋内等）において、当該システムの全体的な制御を行い得る管理サーバ（管理装置）１０が設けられている。また、施設３内の各セキュリティエリア（管理区域）２０には、扉４０と、電気錠５０と、カードリーダ６０と、入退コントローラ７０（以下、単にコントローラ７０ともいう）とが設けられている。以下、入退管理システム１を構成するこれらのセキュリティエリア２０等について詳述する。なお、施設３は、例えば企業や公的機関などの建物などであってもよく、店舗などであってもよい。
【００２２】
また、施設３には、部屋によって構成される管理区域、或いは階全体、或いは棟全体等として構成される管理区域が設けられている。セキュリティエリア２０は、このような管理区域として構成され、オフィス、会議室、倉庫、店舗等の様々な用途に用いられるエリアとなっており、１つのフロアとして区切られた構成となっている。なお、以下の説明では、セキュリティエリア２０が３つの部屋として構成され、入退口３０がこの部屋の出入口（開口部）として構成された例を代表例として説明するが、セキュリティエリア２０の構成はこれに限定されないことは勿論である。
【００２３】
本構成では、施設３内に複数のセキュリティエリア２０が設けられており、図１では、セキュリティエリア２０として、第１セキュリティエリア２１、第２セキュリティエリア２２、第３セキュリティエリア２３が設けられた例を示している。
【００２４】
扉４０は、開口部として構成された入退口３０（出入口）を開放及び閉塞可能な公知の扉として構成されており、例えば、スライド式、或いは回動式のものとして構成されている。本構成では、扉４０が入退口３０を閉塞しているときには、セキュリティエリア２０への人の入場及びセキュリティエリア２０からの人の退場ができないようになっており、扉４０が入退口３０を閉塞していないときに、入退口３０を人が通ることが可能となっている。なお、図１に示す代表例では、第１セキュリティエリア２１の入退口３１を開閉し得るように扉４１が設けられており、第２セキュリティエリア２２の入退口３２を開閉し得るように扉４２が設けられており、第３セキュリティエリア２３の入退口３３を開閉し得るように扉４３が設けられている。
【００２５】
電気錠５０は、セキュリティエリア２０の入退口３０に設けられた扉４０を施錠可能及び解錠可能に構成されており、外部から施錠の指示が与えられているときに扉４０を施錠し、外部から解錠の指示が与えられているときに扉４０を解錠するように機能するものである。この電気錠５０は、制御によって解錠状態と施錠状態とが切替可能なものであればよく、様々な公知の電気錠を用いることができる。本構成では、例えば、通電することにより電気錠内部の電磁石が動作されて扉４０の施解錠を行う電磁式電気錠等が用いられている。また、各電気錠５０は、対応する入退コントローラ７０と電気的に接続されており、入退コントローラ７０からの電気信号によって制御される構成となっている。具体的には、図１に示すように、第１セキュリティエリア２１には扉４１を施錠及び開錠可能な構成で電気錠５１が設けられており、第２セキュリティエリア２２には扉４２を施錠及び開錠可能な構成で電気錠５２が設けられており、第３セキュリティエリア２３には扉４３を施錠及び開錠可能な構成で電気錠５３が設けられている。また、各電気錠５１、５２、５３は、それぞれに対応する各入退コントローラ７１、７２、７３と電気的に接続されており、入退コントローラ７１、７２、７３のそれぞれからの電気信号によって制御される構成となっている。例えば、電気錠５１は、当該電気錠５１に対応付けられた入退コントローラ７１から開錠の指示を受けているときには開錠状態に切り替わり、入退コントローラ７１から施錠の指示を受けているときには施錠状態に切り替わるようになっている。同様に、電気錠５２は、当該電気錠５２に対応付けられた入退コントローラ７２から開錠の指示を受けているときには開錠状態に切り替わり、入退コントローラ７２から施錠の指示を受けているときには施錠状態に切り替わるようになっている。また、電気錠５３は、当該電気錠５３に対応付けられた入退コントローラ７３から開錠の指示を受けているときには開錠状態に切り替わり、入退コントローラ７３から施錠の指示を受けているときには施錠状態に切り替わるようになっている。
【００２６】
カードリーダ６０は、例えば公知のＩＣカードリーダによって構成されている。このカードリーダ６０は、利用者が第１種類の記録媒体である運用カード１００を当該カードリーダ６０に接触又は近接させたときに、この運用カード１００から少なくとも利用者の固有ＩＤ（第１固有ＩＤ）を読み取り、その読み取った当該固有ＩＤを対応する入退コントローラ７０に入力するように構成されている。また、カードリーダ６０は、利用者が第２種類の記録媒体である特定ＩＣカード２００を当該カードリーダ６０に接触又は近接させたときに、この特定ＩＣカード２００から少なくとも利用者の固有ＩＤ（第２固有ＩＤ）を読み取り、その読み取った当該固有ＩＤを対応する入退コントローラ７０に入力するように構成されている。
【００２７】
各カードリーダ６０は、各電気錠５０に対応してそれぞれ設けられており、それぞれがセキュリティエリア２０の外側の各入退口３０付近（例えば、扉４０に隣接する位置）に配置され、セキュリティエリア２０の外部からの操作（ＩＣカードを翳して読み取らせる操作や操作部６１ｇに対する操作等）が可能となるように構成されている。本構成では、図１に示すように、第１セキュリティエリア２１の外部において入退口３１付近にカードリーダ６１が設けられており、第２セキュリティエリア２２の外部において入退口３２付近にカードリーダ６２が設けられており、第３セキュリティエリア２３の外部において入退口３３付近にカードリーダ６３が設けられている。そして、例えば、第１セキュリティエリア２１の入退口３１を通って第１セキュリティエリア２１内に入ろうとする際には、外側のカードリーダ６１で読み取り操作を行うことで当該入退口３１に対応する電気錠５１の開錠を行うようになっている。また、第２セキュリティエリア２２の入退口３２を通って第２セキュリティエリア２２内に入ろうとする際には、外側のカードリーダ６２で読み取り操作を行うことで当該入退口３２に対応する電気錠５２の開錠を行うようになっている。また、第３セキュリティエリア２３の入退口３３を通って第３セキュリティエリア２３内に入ろうとする際には、外側のカードリーダ６３で読み取り操作を行うことで当該入退口３３に対応する電気錠５３の開錠を行うようになっている。
【００２８】
本構成では、いずれのカードリーダ６０も同様の構成となっており、具体的には図３のような外観をなし、アンテナ、表示部、操作部等を備えている。なお、以下ではカードリーダ６１を例に挙げて具体的に説明するが、カードリーダ６２，６３についてもカードリーダ６１と同様の構成となっている。
【００２９】
カードリーダ６１は、図３のような外観をなし、図４のようなハードウェア構成となっている。このカードリーダ６１は、制御部６１ａ、通信処理部６１ｂ、表示部６１ｄ、スピーカ６１ｅ、外部インタフェース６１ｆ、操作部６１ｇ、メモリ６１ｈ等を備えている。制御部６１ａは、ＣＰＵ等により構成され、各種情報処理を行うように機能する。通信処理部６１ｂは、制御部６１ａと協働して後述の非接触通信処理を行うように機能する。表示部６１ｄは、液晶表示器やＬＥＤ等の公知の表示装置によって構成されており、例えばカードリーダ６１によって読み取られた第１固有ＩＤや、当該第１固有ＩＤが個別解錠許可条件を満たすか否かの判断結果等を表示可能に構成されている。スピーカ６１ｅは、公知のスピーカ等によって構成され、アラーム音等の各種音声を発するように機能する。外部インタフェース６１ｆは、入退コントローラ７１に対する情報の送信又は入退コントローラ７１からの情報を受信するように機能する。操作部６１ｇは、例えば操作ボタンとして構成され、図３に示すようにカードリーダ６１の前面部付近に配置され、ユーザが操作部６１ｇを操作したときに、その操作内容に応じた情報が制御部６１ａに入力されるようになっている。なお、図３では、操作部６１ｇを簡略的に図示しているが、この操作部６１ｇは、複数のボタンや十字キーなどによって構成されていてもよく、タッチパネルなどによって構成されていてもよい。メモリ６１ｈは、ＲＯＭ、ＲＡＭ、不揮発性メモリなどの記憶デバイスによって構成されており、各種情報を記憶するように機能する。
【００３０】
また、通信処理部６１ｂは、図４に示すように、送信部６１Ａ、受信部６１Ｂ等を備えており、送信部６１Ａは、例えば、キャリア発振器、符号化部、変調部及び増幅器等によって構成されている。キャリア発振器は、所定周波数のキャリア（搬送波）を出力しており、符号化部は、制御部６１ａに接続され、制御部６１ａより出力される送信データを符号化して変調部に出力している。変調部は、キャリア発振器からのキャリア（搬送波）及び符号化部からの送信データが入力されるものであり、キャリア発振器より出力されるキャリア（搬送波）に対し、通信対象へのコマンド送信時に符号化部より出力される符号化された送信符号（変調信号）によってＡＳＫ（Amplitude Shift Keying）変調された被変調信号を生成し、増幅器に出力している。また、増幅器は、入力信号（変調部によって変調された被変調信号）を設定された増幅率で増幅しており、その増幅信号が送信信号としてアンテナ６１ｃに出力されるようになっている。
【００３１】
また、アンテナ６１ｃには、受信部６１Ｂの入力端子が接続されており、アンテナ６１ｃによって受信された電波信号（受信信号）は、受信部６１Ｂに入力されるようになっている。受信部６１Ｂは、例えば、増幅器、復調部、二値化処理部、複号化部等によって構成されており、アンテナ６１ｃによって受信された受信信号を増幅器によって増幅し、その増幅信号を復調部によって復調している。更に、その復調された信号波形を二値化処理部によって二値化すると共に、復号化部にて復号化し、その復号化された信号を受信データとして制御部６１ａに出力している。また、アンテナ６１ｃは、例えば図３に示すようにカードリーダ６０の前面部付近に配置され、カードリーダ６０付近に翳された運用カード１００や特定ＩＣカード２００との間で電波を送受信するように構成されている。
【００３２】
本構成では、複数の電気錠５０にそれぞれ対応して設けられた各カードリーダ６０が「読取部」の一例に相当し、第１固有ＩＤが記録された第１種類の運用カード１００と、第２固有ＩＤが記録された第２種類の特定ＩＣカード２００とを読取可能に構成されている。
【００３３】
運用カード１００は、「第１記録媒体」の一例に相当し、アンテナ６１ｃを介して上記通信処理部６１ｂと無線通信を行いうる公知の非接触ＩＣカードとして構成されている。この運用カード１００は、例えばＲＦＩＤタグとして機能するＩＣチップを内蔵しており、具体的には、図５（Ａ）に示すように、アンテナ１００ａ、電源部１００ｂ、復調部１００ｃ、制御部１００ｄ、メモリ１００ｅ、変調部１００ｆ、負荷変調部１００ｇ、コンデンサ１００ｈ等を備えている。そして当該運用カード１００を使用する使用者に割り当てられた固有ＩＤ（第１固有ＩＤ）がメモリ１００ｅに記録された構成をなしている。この運用カード１００は、通信処理部６１ｂ及びアンテナ６１ｃより送信された搬送波をアンテナ１００ａを介して受信すると、電源部１００ｂにおいて搬送波を整流して動作用電源を生成し、マイクロコンピュータで構成される制御部１００ｄ及びその他の構成要素に供給するように構成されている。
【００３４】
また、運用カード１００では、搬送波に重畳されているアンテナ６１ｃからの送信データが復調部１００ｃによって復調され、制御部１００ｄに出力されるようになっている。制御部１００ｄは、動作用電源が供給されて起動すると、リーダ側からの送信データ（アンテナ６１ｃからの送信データ）を受けてメモリ１００ｅに記憶されているデータを読み出している。変調部１００ｆは、受信した搬送波を分周した副搬送波を制御部１００ｄが出力する応答データによって変調している。更に、アンテナ１００ａには、負荷変調部１００ｇを構成する抵抗及びスイッチの直列回路が並列に接続されており、変調部１００ｆより出力される副搬送波の被変調信号により負荷変調部１００ｇのスイッチがオンオフされることで搬送波が負荷変調され、応答（レスポンス）が返信されるようになっている。なお、図４、図５（Ａ）では、カードリーダ６０及び運用カード１００の一例を挙げたが、電磁波を媒介として通信を行い得る構成であれば公知の他の構成を用いてもよい。
【００３５】
特定ＩＣカード２００は、「第２記録媒体」の一例に相当し、アンテナ６１ｃを介して上記通信処理部６１ｂと無線通信を行いうる公知の非接触ＩＣカードとして構成されている。この特定ＩＣカード２００も、ハードウェア構成は運用カード１００と同様であり、例えばＲＦＩＤタグとして機能するＩＣチップを内蔵しており、具体的には、図５（Ｂ）に示すように、アンテナ２００ａ、電源部２００ｂ、復調部２００ｃ、制御部２００ｄ、メモリ２００ｅ、変調部２００ｆ、負荷変調部２００ｇ、コンデンサ２００ｈ等を備えている。そして当該特定ＩＣカード２００を使用する使用者に割り当てられた固有ＩＤ（第２固有ＩＤ）がメモリ２００ｅに記録された構成をなしている。この特定ＩＣカード２００は、通信処理部６１ｂ及びアンテナ６１ｃより送信された搬送波をアンテナ２００ａを介して受信すると、電源部２００ｂにおいて搬送波を整流して動作用電源を生成し、マイクロコンピュータで構成される制御部２００ｄ及びその他の構成要素に供給するように構成されている。
【００３６】
また、特定ＩＣカード２００では、搬送波に重畳されているアンテナ６１ｃからの送信データが復調部２００ｃによって復調され、制御部２００ｄに出力されるようになっている。制御部２００ｄは、動作用電源が供給されて起動すると、リーダ側からの送信データ（アンテナ６１ｃからの送信データ）を受けてメモリ２００ｅに記憶されているデータを読み出している。変調部２００ｆは、受信した搬送波を分周した副搬送波を制御部２００ｄが出力する応答データによって変調している。更に、アンテナ２００ａには、負荷変調部２００ｇを構成する抵抗及びスイッチの直列回路が並列に接続されており、変調部２００ｆより出力される副搬送波の被変調信号により負荷変調部２００ｇのスイッチがオンオフされることで搬送波が負荷変調され、応答（レスポンス）が返信されるようになっている。なお、図４、図５（Ｂ）では、カードリーダ６０及び特定ＩＣカード２００の一例を挙げたが、電磁波を媒介として通信を行い得る構成であれば公知の他の構成を用いてもよい。
【００３７】
各入退コントローラ（コントローラともいう）７０は、各入退口３０に対応して設けられており、それぞれが対応する電気錠５０と通信可能に接続されると共に、対応するカードリーダ６０と通信可能に接続されている。例えば入退コントローラ７１は、入退口３１に対応して設けられており、当該入退口３１を開閉する扉４１を施錠可能に設けられた電気錠５１と通信可能に接続され、当該入退口３１付近に設けられたカードリーダ６１と通信可能に接続されている。同様に、入退コントローラ７２は、入退口３２に対応して設けられており、当該入退口３２を開閉する扉４２を施錠可能に設けられた電気錠５２と通信可能に接続され、当該入退口３２付近に設けられたカードリーダ６２と通信可能に接続されている。また、入退コントローラ７３は、入退口３３に対応して設けられており、当該入退口３３を開閉する扉４３を施錠可能に設けられた電気錠５３と通信可能に接続され、当該入退口３３付近に設けられたカードリーダ６３と通信可能に接続されている。
【００３８】
また、いずれの入退コントローラ７０も、管理サーバ１０と通信可能に接続されている。そして、各入退コントローラ７０は、後述する個別解錠許可条件や一括制御許可条件などを管理サーバ１０から受信すると共に、それぞれが対応する電気錠５０に施錠及び解錠の指示を発信するように電気錠５０に対応した情報処理装置として構成されている。また、各入退コントローラ７０は、自身以外の他の入退コントローラ７０に対して電気錠の施錠又は解錠を指示可能に構成されており、外部（自身以外の他の入退コントローラ７０）から電気錠の施錠又は解錠の指示を受けた場合には、その指示に応じて自身に対応する電気錠を施錠又は解錠可能に構成されている。
【００３９】
図２に示すように、各入退コントローラ７０はいずれも情報処理装置として構成され、ＣＰＵ７０ａ、通信部７０ｂ、メモリ７０ｃ、表示部７０ｄなどを備えている。ＣＰＵ７０ａは、様々な演算処理や制御を行うものである。また、通信部７０ｂは、外部装置との間で無線通信又は有線通信を行うための公知の通信インタフェースとして構成されている。また、メモリ７０ｃは、ＲＯＭ、ＲＡＭ、不揮発性メモリ等の記憶デバイスにより構成されている。また、表示部７０ｄは、液晶表示器やＬＥＤ等の公知の表示装置によって構成されている。本構成では、入退コントローラ７１、７２、７３が同様のハードウェア構成となっており、入退コントローラ７１にはＣＰＵ７１ａ、通信部７１ｂ、メモリ７１ｃ、表示部７１ｄが設けられ、入退コントローラ７２にはＣＰＵ７２ａ、通信部７２ｂ、メモリ７２ｃ、表示部７２ｄが設けられ、入退コントローラ７３にはＣＰＵ７３ａ、通信部７３ｂ、メモリ７３ｃ、表示部７３ｄが設けられている。
【００４０】
各コントローラ７０のメモリ７０ｃには、図６に示すように、自身のＩＰアドレス（即ち、メモリ７０ｃを備える入退コントローラ７０のＩＰアドレス）と、管理サーバ１０のＩＰアドレスと、がシステム情報（１）として記録され、管理サーバ１０に接続している他の入退コントローラ７０のＩＰアドレスがシステム情報（２）として記録されている。この構成により、入退コントローラ７０は管理サーバ１０や他の入退コントローラ７０と通信可能に構成されている。また、各入退コントローラ７０のメモリ７０ｃには、図６に示すように、各入退コントローラ７０に対応するセキュリティエリア２０の入室権限のある（通過許可対象である）運用カード１００の第１固有ＩＤのリストがシステム情報（３）として記録され、更には、それら第１固有ＩＤと、特定ＩＣカード２００の第２固有ＩＤとの紐付け情報がシステム情報（４）として記録されている。また、本構成では、管理サーバ１０から入退コントローラ７０に対し更新データが送信された場合に、その入退コントローラ７０のメモリ７０ｃの内容が、その送信された更新データを反映した内容に更新されるようになっている。
【００４１】
管理サーバ（管理装置）１０は、主に当該システム１の全体的な制御を行うように構成されており、上述したように、各入退コントローラ７０と通信可能に接続されている。この管理サーバ１０は、外部からの情報入力が可能なコンピュータとして構成され、図２に示すように、ＣＰＵ１０ａ、通信部１０ｂ、メモリ１０ｃ、表示部１０ｄ及び操作部１０ｅを備えた構成となしている。ＣＰＵ１０ａは、各種情報処理を行うように構成されており、主に当該管理サーバ１０全体の制御を行うように機能している。通信部１０ｂは、外部装置と有線通信又は無線通信を行うための通信インタフェースとして構成されている。メモリ１０ｃは、ＲＯＭ、ＲＡＭ、不揮発性メモリ、ハードディスク等の記憶デバイスにより構成されている。表示部１０ｄは、液晶モニタ等の公知の表示装置によって構成され、各種情報（例えば管理サーバ１０の動作状態など）を表示可能に構成されている。操作部１０ｅは、キーボードやマウス等の公知の入力デバイスにより構成されている。
【００４２】
（一括解錠時の認証処理）
次に、一括解錠時の認証処理について説明する。
上記のように構成される入退管理システム１において、利用者が電気錠５０の一括解錠を行う時の認証処理について図７に示すフローチャートを用いて説明する。本構成では、図７のような認証処理が各入退コントローラ７０によって行われるようになっている。なお、以下では、運用カード１００を所持するある個人Ａが、第１セキュリティエリア２１に設けられたカードリーダ６１で読み取り操作を行う場合を具体例として説明するが、第２セキュリティエリア２２のカードリーダ６２や第３セキュリティエリア２３のカードリーダ６３で読み取り操作を行う場合も同様である。
【００４３】
入退コントローラ７１では、所定の開始条件の成立時（例えば電源投入時や所定の外部操作時）に図７の認証処理が開始される。なお、図７では、繰り返し処理を省略しているが、図７の処理において、Ｓ１６、Ｓ８、Ｓ５の処理の後には、Ｓ１に戻ってＳ１以降の処理が繰り返されるようになっており、所定の終了条件の成立時（例えば電源オフ時や所定の終了操作が行われた時など）に図７の処理が終了するようになっている。
【００４４】
図７の処理では、まず、カードリーダ６１によって運用カード１００の操作が検出されたか否かを確認する（Ｓ１）。ここでは、カードリーダ６１によって運用カード１００の操作が検出されない間はＳ１の処理を繰り返す待機状態となり、カードリーダ６１によって運用カード１００の操作が検出され、運用カード１００の読み取りがなされた場合には、カードリーダ６１が読み取った運用カード１００のデータを取得する（Ｓ２）。
【００４５】
Ｓ２にてカードリーダ６１が読み取った運用カード１００のデータ（第１固有ＩＤ等）を取得した後には、その取得した運用カード１００のデータ（第１固有ＩＤ等）に基づいて、その運用カード１００が許可対象者のカードであるか否かを判断する（Ｓ３）。
【００４６】
本構成では、図９のように、第１セキュリティエリア２１への入場を許可すべき許可者のリストとして、複数の第１固有ＩＤがメモリ７１ｃに記憶されている。そして、Ｓ２で取得された第１固有ＩＤがメモリ７１ｃに登録されたリストに含まれる場合、許可者と判断してＳ３にてＹｅｓに進む。一方、そして、Ｓ２で取得された第１固有ＩＤがメモリ７１ｃに登録されたリストに含まれない場合、許可者ではないと判断してＳ３にてＮｏに進む。図９の例では、例えば、第１セキュリティエリア２１への入場を許可すべき許可者として「愛知太郎」が登録され、この愛知太郎に割り当てられた運用カード１００に記録される第１固有ＩＤ（「４８３５１５５」というデータ）がメモリ７１ｃに登録されている。従って、例えば愛知太郎が、「４８３５１５５」という第１固有ＩＤが記録された運用カード１００を操作し、この第１固有ＩＤがＳ１、Ｓ２で取得された場合には、許可者として判定され、Ｓ３にてＹｅｓに進むことになる。
【００４７】
なお、メモリ７１ｃに登録される各第１固有ＩＤは、「個別解錠許可条件」に相当するものであり、電気錠５１の個別の解錠を許可する複数の固有情報を特定するデータに相当する。また、メモリ７１ｃは、第１登録部に相当し、このようなデータを個別解錠許可条件として登録する機能を有する。また、メモリ７２ｃ、７３ｃにも図９と同様のデータが登録されており、メモリ７２ｃに登録される各第１固有ＩＤも「個別解錠許可条件」に相当し、電気錠５２の個別の解錠を許可する複数の固有情報を特定するデータに相当する。そして、メモリ７２ｃも第１登録部に相当し、このようなデータを個別解錠許可条件として登録する機能を有する。同様に、メモリ７３ｃに登録される各第１固有ＩＤも「個別解錠許可条件」に相当し、電気錠５３の個別の解錠を許可する複数の固有情報を特定するデータに相当する。そして、メモリ７３ｃも第１登録部に相当し、このようなデータを個別解錠許可条件として登録する機能を有する。
【００４８】
このように、図７の処理では、Ｓ２で読み取った第１固有ＩＤに基づいて認証処理を行い、当該第１固有ＩＤが通過許可対象であるか否か、即ち、第１固有ＩＤがメモリ７１ｃに登録された個別解錠許可条件を満たすか否か判断する（Ｓ３）。そして、Ｓ２で読み取った第１固有ＩＤがメモリ７１ｃに登録された第１固有ＩＤ（個別解錠許可条件のデータ）と一致しない場合にはＳ３にてＮｏに進む。この場合、Ｓ２で読み取った第１固有ＩＤをメモリ７１ｃに記録させ、入室履歴（入室が拒否された者の履歴）として登録する（Ｓ４）。そして、Ｓ５で、表示部７１ｄに入室不許可である旨を表示し、電気錠５１の施錠状態を保持して、認証処理を終了する。
【００４９】
一方、Ｓ２で読み取った第１固有ＩＤがメモリ７１ｃに登録された第１固有ＩＤ（個別解錠許可条件のデータ）と一致する場合にはＳ３にてＹｅｓに進み、その第１固有ＩＤで特定される個人Ａが特定ＩＣカード２００の保持者か否かを判断する（Ｓ６）。このＳ６の処理では、Ｓ２で読み取られた第１固有ＩＤが、第２固有ＩＤと対応付けられて一括制御許可条件としてメモリ７１ｃに登録されているか否か判断する。本構成では、図９のように、メモリ７０ｃにおいて、第２固有ＩＤと対応付けられた第１固有ＩＤと、第２固有ＩＤと対応付けられていない第１固有ＩＤとが記憶されており、第２固有ＩＤと対応付けられた第１固有ＩＤによって特定される者は特定ＩＣカード２００の保持者に該当する。一方、第２固有ＩＤと対応付けられていない第１固有ＩＤによって特定される者は特定ＩＣカード２００の非保持者に該当する。Ｓ６の処理では、メモリ７１ｃにおいてＳ２で読み取られた第１固有ＩＤに第２固有ＩＤ（特定ＩＣカード２００の固有ＩＤ）が対応付けられているか否かを判断し、対応付けられていない場合にはＮｏに進む。この場合、Ｓ２で読み取った第１固有ＩＤをメモリ７１ｃに記録させ、入室履歴（入室を許可した者の履歴）として登録する（Ｓ７）。そして、Ｓ８では、表示部７１ｄに入室許可である旨を表示し、電気錠５１を解錠して、認証処理を終了する。
【００５０】
一方、Ｓ６の処理において、Ｓ２で読み取られた第１固有ＩＤと第２固有ＩＤ（特定ＩＣカード２００の固有ＩＤ）とが対応付けられてメモリ７１ｃに登録されていると判断される場合にはＹｅｓに進む。この場合、カードリーダ６１により特定ＩＣカード２００の読み取り処理を行うことになる（Ｓ９〜Ｓ１２）。Ｓ６でＹｅｓに進む場合、少なくとも第１固有ＩＤの読み取り後の一定期間、一括制御許可条件に該当する第２固有ＩＤ（即ち、Ｓ２で読み取られた第１固有ＩＤに対応する第２固有ＩＤ）がカードリーダ６１によって読み取られたか否かを確認することになる。
【００５１】
具体的には、Ｓ６でＹｅｓに進む場合、まずＮを０に初期化する（Ｓ９）。このＮの値は、Ｓ９の処理後の所定時間内に特定ＩＣカード２００の検出が失敗した回数を示すものである。Ｓ９の処理の後には、Ｎの現在値が予め設定してある上限回数の設定値を上回ったか否か判断する（Ｓ１０）。Ｎの値が設定値を上回ったと判断された場合には、Ｓ１０にてＹｅｓに進み、Ｓ２で読み取られた第１固有ＩＤをメモリ７１ｃに記録させ、入室履歴（入室を許可した者の履歴）として登録する（Ｓ７）。そして、Ｓ８で、表示部７１ｄに入室許可である旨を表示し、電気錠５１を解錠して、認証処理を終了する。
【００５２】
Ｓ１０の判断処理において、Ｎが設定値（上記上限回数）以下であると判断された場合には（Ｓ１０でＮｏ）、カードリーダ６１によって特定ＩＣカード２００が検出されたか否か判断する（Ｓ１１）。Ｓ１１において特定ＩＣカード２００が検出されていないと判断された場合には、Ｓ１１にてＮｏに進み、現在のＮの値に１を加え（即ち、Ｎをインクリメント）、Ｓ１０の処理に戻り、Ｓ１０以降の処理を繰り返す。このように、本構成では、Ｓ６でＹｅｓに進んだ後、カードリーダ６１が特定ＩＣカード２００を検出するまでの間、又はＮの値が設定値（上限回数）を上回るまでの間、Ｓ１０〜Ｓ１２の判定処理を繰り返す。一方、Ｓ１１の処理において、特定ＩＣカード２００が検出されたと判断された場合、Ｓ１１でＹｅｓに進み、Ｓ１３以降の処理を行う。
【００５３】
Ｓ１３では、Ｓ１１で検出と判断された特定ＩＣカード２００に記録された第２固有ＩＤを取得する。そして、Ｓ１４では、Ｓ１３で読み取りを行った特定ＩＣカード２００が、Ｓ２で読み取りを行った運用カード１００と紐付けがあるか否か判断する（Ｓ１４）。具体的には、Ｓ１３で取得された特定ＩＣカード２００の第２固有ＩＤとＳ２で取得された第１固有ＩＤとが対応付けられてメモリ７１ｃに登録されているか否かを判断する。特定ＩＣカード２００と運用カード１００との紐付けがない場合、即ち、Ｓ１１で検出と判断された特定ＩＣカード２００の固有ＩＤがメモリ７１ｃに登録されていない場合や、特定ＩＣカード２００の固有ＩＤと対応付けられている第１固有ＩＤがＳ２で取得した第１固有ＩＤと異なる場合には、Ｓ１４にてＮｏに進み、Ｓ６でＮｏに進む場合やＳ１０でＹｅｓに進む場合と同様の処理（Ｓ７、Ｓ８の処理）を行う。
【００５４】
一方、Ｓ１４で、特定ＩＣカード２００が、運用カード１００と紐付けがあると判断した場合、即ち、Ｓ１１で検出と判断された特定ＩＣカード２００の第２固有ＩＤと、Ｓ２で取得した第１固有ＩＤとが対応付けられてメモリ７１ｃに登録されている場合には、Ｓ１４にてＹｅｓに進む。そして、Ｓ１４にてＹｅｓに進む場合には、入退コントローラ７１が、他の入退コントローラ７２，７３へ解錠指示信号を送信する（Ｓ１５）。Ｓ１５において入退コントローラ７１から他の入退コントローラ７２及び入退コントローラ７３に解錠指示信号が送信された場合、これを受信した他の入退コントローラ７２，７３は、それぞれ対応する電気錠５２及び電気錠５３を解錠する。なお、入退コントローラ７１は、Ｓ１５の処理において、他の入退コントローラ７２，７３へ解錠指示信号を送信すると共に、自身に対応付けられた電気錠５１の解錠も行う。このようにＳ１５で一括解錠処理を行った後には、Ｓ１６の処理を行い、Ｓ２で取得された運用カード１００の第１固有ＩＤとＳ１３で取得された特定ＩＣカード２００の第２固有ＩＤとを対応付けたデータを入室履歴（一括解錠処理によって入室した者の履歴）としてメモリ７１ｃに記録し、認証処理を終了する。
【００５５】
本構成では、複数の電気錠５０にそれぞれ対応し且つ複数のカードリーダ６０（読取部）にそれぞれ対応して設けられた複数のコントローラ７０（入退コントローラ７１、入退コントローラ７２及び入退コントローラ７３）が一括制御部８０を構成している。この一括制御部８０は、複数のカードリーダ６０のいずれかによって読み取られた第２固有ＩＤが入退コントローラ７０のメモリ７０ｃに登録された一括制御許可条件を満たす場合に一括施錠又は一括解錠を行うように機能する。より具体的には、いずれかのカードリーダ６０（読取部）によって運用カード１００（第１記録媒体）の第１固有ＩＤ（第１固有情報）及び特定ＩＣカード２００（第２記録媒体）の第２固有ＩＤ（第２固有情報）が読み取られ、それら読み取られた第１固有ＩＤと第２固有ＩＤとの対応関係がメモリ７０ｃ（第２登録部）に登録された一括制御許可条件（図６に示すシステム情報（４）であり、図９のような、第１固有ＩＤと対応する第２固有ＩＤとの組み合わせのリスト）を満たす場合に、複数の電気錠５０の全てに対して後述の一括施錠又は上述の一括解錠を行うように制御可能に構成されている。
【００５６】
また、各入退コントローラ７０（具体的には各入退コントローラのＣＰＵ）は、「個別解錠制御部」の一例に相当し、カードリーダ６０によって読み取られた第１固有ＩＤが自身のメモリ７０ｃに登録された個別解錠許可条件（図６に示すシステム情報（３）であり、図９のような第１固有ＩＤのリスト）を満たす場合に、その読み取ったカードリーダ６０に対応する電気錠５０を解錠するように機能する。例えば、入退コントローラ７１は、カードリーダ６１によって読み取られた第１固有ＩＤが自身のメモリ７１ｃに登録された個別解錠許可条件を満たす場合（即ち、メモリ７１ｃに記憶された第１固有ＩＤのリストに含まれる場合）に、その読み取ったカードリーダ６１に対応する電気錠５１を解錠するように機能する。また、入退コントローラ７２、７３も同様の機能を有し、同様に、「個別解錠制御部」として機能する。
【００５７】
また、メモリ７０ｃは、「第２登録部」の一例に相当し、複数の電気錠５０の一括制御を許可する固有情報を特定するデータを一括制御許可条件として登録するように機能する。例えば、メモリ７１ｃには、図９のように、複数の電気錠５０の一括制御を許可する固有情報を特定するデータ（第１固有情報と第２固有情報とを対応付けた複数の組み合わせデータ）を一括制御許可条件として登録している。また、他のメモリ７２ｃやメモリ７３ｃでも同様のデータが登録され、同様に第２登録部として機能している。
【００５８】
また、メモリ７０ｃは、「履歴記憶部」の一例に相当し、カードリーダ６０によって第１固有ＩＤが読み取られ、且つ当該カードリーダ６０によって読み取られた第２固有ＩＤが一括制御許可条件を満たさない場合に、カードリーダ６０によって読み取られた第１固有ＩＤを記憶するように機能する。例えば、メモリ７１ｃは、カードリーダ６１によって第１固有ＩＤが読み取られ、且つ当該カードリーダ６１によって読み取られた第２固有ＩＤが一括制御許可条件を満たさない場合（即ち、Ｓ２で得られた第１固有ＩＤとＳ１３で得られた第２固有ＩＤとがメモリ７１ｃに登録されておらず、Ｓ１４でＮｏに進む場合）、カードリーダ６０によって読み取られた第１固有ＩＤを記憶するように機能する。また、他のメモリ７２ｃ、７３ｃも同様の機能を有し、同様に履歴記憶部として機能している。
【００５９】
また、Ｓ１５の処理と同時に、各入退コントローラ７０のＣＰＵ７１ａ，７２ａ，７３ａは、一括解錠が行われた旨を外部に知らせるために報知処理を行う。この報知処理としては、例えば、各入退コントローラ７０にてアラーム（警報音）を発するような処理が挙げられる。この場合、ＣＰＵ７１ａ，７２ａ，７３ａ及び各入退コントローラ７０に設けられた図示しないブザーやスピーカ等が「報知部」の一例に相当し、一括制御部８０が一括解錠を行う場合に所定の報知を行うように機能する。なお、報知処理の例はこれに限られず、例えば、各入退コントローラ７０の表示部７１ｄ、７２ｄ、７３ｄにて一括解錠が行われた旨のメッセージを表示するような処理でもよい。或いは、各入退コントローラ７０から外部装置（管理サーバ１０やその他の外部装置）に一括解錠が行われた旨の情報を送信するような処理であってもよい。
【００６０】
また、本構成では、図７のＳ１５において一括制御部８０により一括解錠が行われた場合、いずれかのカードリーダ６０で、特定ＩＣカード２００の読み取りが行われない限り、その一括解錠状態を予め設定された一定時間が経過するまで維持するようになっている。例えば、各入退コントローラ７０は、Ｓ１５にて一括解錠処理が行われてから予め決められた時間（例えば数分）は対応する電気錠５０を解錠状態で維持し、その時間が経過した後には全ての電気錠５０を施錠状態に復帰させるようにしてもよい。
【００６１】
また、一括制御部８０は、Ｓ１５にて一括解錠の制御を行った後、更にいずれかのカードリーダ６０によって一括制御許可条件を満たす第２固有ＩＤが読み取られた場合に、一括施錠の制御を行う構成であってもよい。即ち、このような第２固有ＩＤが記録された特定ＩＣカード２００がカードリーダ６０によって読み取られた場合に、そのカードリーダ６０に接続された対応する入退コントローラ７０から他のコントローラ７０に一括施錠の指示を送信し、全てのコントローラ７０が各々に対応する電気錠５０を施錠するように制御を行ってもよい。この場合、一括施錠のトリガとなる上記第２固有ＩＤは、Ｓ１５にて一括解錠のトリガとなった第２固有ＩＤと同一のものとしてもよく、別のＩＤ（その読み取りを行ったカードリーダ６０に対応する入退コントローラ７０のメモリ７０ｃに登録されている第２固有ＩＤ）としてもよい。また、一括施錠のトリガとなる第２固有ＩＤを読み取るカードリーダ６０は、Ｓ１５で一括解錠の指示を発した入退コントローラ７０に対応するカードリーダ６０のみを候補としてもよく、全てのカードリーダ６０を候補としてもよい。
【００６２】
或いは、一括制御部８０は、Ｓ１５にて一括解錠の制御を行った後、更にいずれかのカードリーダ６０によって一括制御許可条件を満たす第２固有ＩＤが読み取られた場合に、一括解錠の状態を解除する構成であってもよい。即ち、このような第２固有ＩＤが記録された特定ＩＣカード２００がカードリーダ６０によって読み取られた場合に、そのカードリーダ６０に接続された対応する入退コントローラ７０から他のコントローラ７０に一括解錠の解除指示を送信するようにしてもよい。この場合、その解除指示を送信したコントローラ及び解除指示を受けたコントローラ７０は、対応する電気錠５０の即時の施錠（上述の一括施錠の制御）を行う構成であってもよく、通常の解錠時（即ち、Ｓ７、Ｓ８での個別解錠時）と同様の制御（例えば、所定の短時間が経過した後、自動的に施錠する制御）を行う構成であってもよい。この場合、一括解錠を解除するトリガとなる上記第２固有ＩＤは、Ｓ１５にて一括解錠のトリガとなった第２固有ＩＤと同一のものとしてもよく、別のＩＤ（その読み取りを行ったカードリーダ６０に対応する入退コントローラ７０のメモリ７０ｃに登録されている第２固有ＩＤ）としてもよい。また、一括解錠を解除するトリガとなる第２固有ＩＤを読み取るカードリーダ６０は、Ｓ１５で一括解錠の指示を発した入退コントローラ７０に対応するカードリーダ６０のみを候補としてもよく、全てのカードリーダ６０を候補としてもよい。
【００６３】
（一括施錠時の認証処理）
次に、入退管理システム１において、利用者が電気錠５０の一括施錠を行う時の認証処理について図８に示すフローチャートを用いて説明する。本構成では、図８のような認証処理が各入退コントローラ７０によって行われるようになっている。なお、以下では、特定ＩＣカード２００を所持するある個人Ａが、第１セキュリティエリア２１に設けられたカードリーダ６１で読み取り操作を行う場合を具体例として説明するが、第２セキュリティエリア２２のカードリーダ６２や第３セキュリティエリア２３のカードリーダ６３で読み取り操作を行う場合も同様である。
【００６４】
入退コントローラ７１では、所定の開始条件の成立時（例えば電源投入時や所定の外部操作時）に図８の認証処理が開始される。なお、図８では、繰り返し処理を省略しているが、図８の処理において、Ｓ３３、Ｓ２７、Ｓ２４の処理の後には、Ｓ２１に戻ってＳ２１以降の処理が繰り返されるようになっており、所定の終了条件の成立時（例えば電源オフ時や所定の終了操作が行われた時など）に図８の処理が終了するようになっている。
【００６５】
図８の処理では、まず、カードリーダ６１によって特定ＩＣカード２００の操作が検出されたか否かを確認する（Ｓ２１）。ここでは、カードリーダ６１によって特定ＩＣカード２００の操作が検出されない間はＳ２１の処理を繰り返す待機状態となり、カードリーダ６１によって特定ＩＣカード２００の操作が検出され、特定ＩＣカード２００の読み取りがなされた場合には、カードリーダ６１が読み取った特定ＩＣカード２００のデータを取得する（Ｓ２２）。
【００６６】
Ｓ２２にてカードリーダ６１が読み取った特定ＩＣカード２００のデータ（第２固有ＩＤ等）を取得した後には、その取得した特定ＩＣカード２００のデータ（第２固有ＩＤ等）に基づいて、その特定ＩＣカード２００が許可対象者のカードであるか否かを判断する（Ｓ２３）。
【００６７】
本構成では、上述したように第１セキュリティエリア２１への入場を許可すべき許可者のリストとして、複数の第１固有ＩＤがメモリ７１ｃに記憶されており、その中の特定の第１固有ＩＤと対応付けて第２固有ＩＤが記憶されている。Ｓ２３の処理では、Ｓ２２で取得された第２固有ＩＤがメモリ７１ｃに登録されたリストに含まれるか否かを判断し、含まれている場合にはＹｅｓに進む。一方、そして、Ｓ２２で取得された第２固有ＩＤがメモリ７１ｃに登録されたリストに含まれない場合、Ｓ２３ではＮｏに進む。図９の例では、例えば、第１セキュリティエリア２１への入場を許可すべき許可者として「愛知太郎」が登録され、この愛知太郎に割り当てられた第１固有ＩＤ（「４８３５１５５」というデータ）と対応付けて、第２固有ＩＤ（「６６４６８８８」というデータ）がメモリ７１ｃに登録されている。従って、例えば愛知太郎が、「６６４６８８８」という第２固有ＩＤが記録された特定ＩＣカード２００を操作し、この第２固有ＩＤがＳ２１、Ｓ２２で取得された場合には、Ｓ２３にてＹｅｓに進むことになる。
【００６８】
このように、図８の処理では、Ｓ２２で読み取った第２固有ＩＤに基づいて認証処理を行い、第２固有ＩＤがメモリ７１ｃに登録された一括施錠許可条件を満たすか否か判断する（Ｓ２３）。そして、Ｓ２２で読み取った第２固有ＩＤがメモリ７１ｃに登録された第２固有ＩＤと一致しない場合にはＳ２３にてＮｏに進む。この場合、Ｓ２２で読み取った第２固有ＩＤをメモリ７１ｃに記録させ、入室履歴（一括施錠が拒否された者の履歴）として登録する（Ｓ２４）。そして、例えば表示部７１ｄにより、一括施錠が不許可である旨を表示し、認証処理を終了する。この場合、各電気錠５０は特に新たな制御がなされないことになる。
【００６９】
一方、Ｓ２２で読み取った第２固有ＩＤがメモリ７１ｃに登録された第２固有ＩＤと一致する場合にはＳ２３にてＹｅｓに進む。この場合、カードリーダ６１により運用カード１００の読み取り処理を行うことになる（Ｓ２５、Ｓ２６、Ｓ２８、Ｓ２９）。Ｓ２３でＹｅｓに進む場合、少なくとも第２固有ＩＤの読み取り後の一定期間、一括制御許可条件に該当する第１固有ＩＤ（即ち、Ｓ２２で読み取られた第２固有ＩＤに対応する第１固有ＩＤ）がカードリーダ６１によって読み取られたか否かを確認することになる。
【００７０】
具体的には、Ｓ２３でＹｅｓに進む場合、まずＮを０に初期化する（Ｓ２５）。このＮの値は、Ｓ２５の処理後の所定時間内に運用カード１００の検出が失敗した回数を示すものである。Ｓ２５の処理の後には、Ｎの現在値が予め設定してある上限回数の設定値を上回ったか否か判断する（Ｓ２６）。Ｎの値が設定値を上回ったと判断された場合には、Ｓ２６にてＹｅｓに進み、Ｓ２２で読み取られた第２固有ＩＤをメモリ７１ｃに記録させ、入室履歴（一括施錠が拒否された者の履歴）として登録する（Ｓ２７）。そして、例えば表示部７１ｄに一括施錠が不許可である旨を表示し、認証処理を終了する。この場合、各電気錠５０は特に新たな制御がなされないことになる。
【００７１】
Ｓ２８の判断処理において、Ｎが設定値（上記上限回数）以下であると判断された場合には（Ｓ２６でＮｏ）、カードリーダ６１によって運用カード１００が検出されたか否か判断する（Ｓ２８）。Ｓ２８において運用カード１００が検出されていないと判断された場合には、Ｓ２８にてＮｏに進み、現在のＮの値に１を加え（即ち、Ｎをインクリメント）、Ｓ２６の処理に戻り、Ｓ２６以降の処理を繰り返す。このように、本構成では、Ｓ２３でＹｅｓに進んだ後、カードリーダ６１が運用カード１００を検出するまでの間、又はＮの値が設定値（上限回数）を上回るまでの間、Ｓ２６、Ｓ２８、Ｓ２９の判定処理を繰り返す。一方、Ｓ２８の処理において、運用カード１００が検出されたと判断された場合、Ｓ２８でＹｅｓに進み、Ｓ３０以降の処理を行う。
【００７２】
Ｓ３０では、Ｓ２８で検出と判断された運用カード１００に記録された第１固有ＩＤを取得する。そして、Ｓ３１では、Ｓ３０で読み取りを行った運用カード１００が、Ｓ２２で読み取りを行った特定ＩＣカード２００と紐付けがあるか否か判断する（Ｓ３１）。具体的には、Ｓ３０で取得された運用カード１００の第１固有ＩＤとＳ２２で取得された第２固有ＩＤとが対応付けられてメモリ７１ｃに登録されているか否かを判断する。特定ＩＣカード２００と運用カード１００との紐付けがない場合、即ち、Ｓ２８で検出と判断された運用カード１００の固有ＩＤがメモリ７１ｃに登録されていない場合や、運用カード１００の固有ＩＤと対応付けられている第２固有ＩＤがＳ２２で取得した第２固有ＩＤと異なる場合には、Ｓ３１にてＮｏに進み、Ｓ２６でＹｅｓに進む場合と同様の処理（Ｓ２７）を行う。
【００７３】
一方、Ｓ３１で、特定ＩＣカード２００が、運用カード１００と紐付けがあると判断した場合、即ち、Ｓ２８で検出と判断された運用カード１００の第１固有ＩＤと、Ｓ２２で取得した第２固有ＩＤとが対応付けられてメモリ７１ｃに登録されている場合には、Ｓ３１にてＹｅｓに進む。そして、Ｓ３１にてＹｅｓに進む場合には、入退コントローラ７１が、他の入退コントローラ７２，７３へ施錠指示信号を送信する（Ｓ３２）。Ｓ３２において入退コントローラ７１から他の入退コントローラ７２及び入退コントローラ７３に施錠指示信号が送信された場合、これを受信した他の入退コントローラ７２，７３は、それぞれ対応する電気錠５２及び電気錠５３を施錠する。なお、入退コントローラ７１は、Ｓ３２の処理において、他の入退コントローラ７２，７３へ施錠指示信号を送信すると共に、自身に対応付けられた電気錠５１の施錠も行う。このようにＳ３２で一括施錠処理を行った後には、Ｓ３３の処理を行い、Ｓ２２で取得された特定ＩＣカード２００の第２固有ＩＤとＳ３０で取得された運用カード１００の第１固有ＩＤとを対応付けたデータを入室履歴（一括施錠処理を行った者の履歴）としてメモリ７１ｃに記録し、認証処理を終了する。
【００７４】
また、Ｓ３２の処理と同時に、各入退コントローラ７０のＣＰＵ７１ａ，７２ａ，７３ａは、一括施錠が行われた旨を外部に知らせるために報知処理を行う。この報知処理としては、例えば、各入退コントローラ７０にてアラーム（警報音）を発するような処理が挙げられる。この場合も、ＣＰＵ７１ａ，７２ａ，７３ａ及び各入退コントローラ７０に設けられた図示しないブザーやスピーカ等が「報知部」の一例に相当し、一括制御部８０が一括施錠を行う場合に所定の報知を行うように機能する。なお、報知処理の例はこれに限られず、例えば、各入退コントローラ７０の表示部７１ｄ、７２ｄ、７３ｄにて一括解錠が行われた旨のメッセージを表示するような処理でもよい。或いは、各入退コントローラ７０から外部装置（管理サーバ１０やその他の外部装置）に一括施錠が行われた旨の情報を送信するような処理であってもよい。
【００７５】
また、本構成では、図８のＳ３２において一括制御部８０により一括施錠が行われた場合、いずれかのカードリーダ６０で、特定ＩＣカード２００の読み取りが行われない限り、その一括施錠状態を予め設定された一定時間が経過するまで維持するようになっている。例えば、各入退コントローラ７０は、Ｓ３２にて一括施錠処理が行われてから予め決められた時間（例えば数分）は対応する電気錠５０を施錠状態で維持し、その時間が経過した後には全ての電気錠５０を解錠状態又は通常状態（運用カード１００の受け付けを許可する状態）に制御するようにしてもよい。また、本構成の一括制御部８０では、Ｓ３２にて一括施錠を行った後、所定の一括施錠解除条件を満たすまで（例えば、上述の一定時間が経過するまで、或いは後述するように特定ＩＣカード２００の新たな読み取りがなされるまで）の間、いずれかのカードリーダ６０によって個別解錠許可条件を満たす第１固有情報が読み取られた場合（即ち、いずれかのカードリーダ６０によってメモリ７０ｃに登録された第１固有ＩＤが記録された運用カード１００が読み取られた場合）、個別解錠制御部による解錠制御（即ち、運用カード１００を読み取ったカードリーダ６０に対応する入退コントローラ７０での電気錠５０の解錠制御）を停止して一括施錠の状態を維持するようになっている。
【００７６】
また、一括制御部８０は、Ｓ３２にて一括施錠の制御を行った後、更にいずれかのカードリーダ６０によって一括制御許可条件を満たす第２固有ＩＤが読み取られた場合に、一括解錠の制御を行う構成であってもよい。即ち、このような第２固有ＩＤが記録された特定ＩＣカード２００がカードリーダ６０によって読み取られた場合に、そのカードリーダ６０に接続された対応する入退コントローラ７０から他のコントローラ７０に一括解錠の指示を送信し、全てのコントローラ７０が各々に対応する電気錠５０を解錠するように制御を行ってもよい。この場合、一括解錠のトリガとなる上記第２固有ＩＤは、Ｓ３２にて一括施錠のトリガとなった第２固有ＩＤと同一のものとしてもよく、別のＩＤ（その読み取りを行ったカードリーダ６０に対応する入退コントローラ７０のメモリ７０ｃに登録されている第２固有ＩＤ）としてもよい。また、一括解錠のトリガとなる第２固有ＩＤを読み取るカードリーダ６０は、Ｓ３２で一括施錠の指示を発した入退コントローラ７０に対応するカードリーダ６０のみを候補としてもよく、全てのカードリーダ６０を候補としてもよい。
【００７７】
或いは、一括制御部８０は、Ｓ３２にて一括施錠の制御を行った後、更にいずれかのカードリーダ６０によって一括制御許可条件を満たす第２固有ＩＤが読み取られた場合に、一括施錠の状態を解除する構成であってもよい。即ち、このような第２固有ＩＤが記録された特定ＩＣカード２００がカードリーダ６０によって読み取られた場合に、そのカードリーダ６０に接続された対応する入退コントローラ７０から他のコントローラ７０に一括施錠の解除指示を送信するようにしてもよい。この場合、その解除指示を送信したコントローラ及び解除指示を受けたコントローラ７０は、対応する電気錠５０の即時の解錠（上述の一括解錠の制御）を行う構成であってもよく、通常の施錠時と同様の制御（即ち、運用カード１００が読み取られた場合に対応する電気錠５０の解錠を行う制御）を行う構成であってもよい。この場合、一括施錠を解除するトリガとなる上記第２固有ＩＤは、Ｓ３２にて一括施錠のトリガとなった第２固有ＩＤと同一のものとしてもよく、別のＩＤ（その読み取りを行ったカードリーダ６０に対応する入退コントローラ７０のメモリ７０ｃに登録されている第２固有ＩＤ）としてもよい。また、一括施錠を解除するトリガとなる第２固有ＩＤを読み取るカードリーダ６０は、Ｓ３２で一括施錠の指示を発した入退コントローラ７０に対応するカードリーダ６０のみを候補としてもよく、全てのカードリーダ６０を候補としてもよい。
【００７８】
以上の通り、本構成では、複数の電気錠５０の一括制御を許可する固有情報を特定するデータを一括制御許可条件として登録するメモリ７０ｃ（第２登録部）と、複数のカードリーダ６０（読取部）のいずれかによって読み取られた第２固有ＩＤ（第２固有情報）がメモリ７０ｃに登録された一括制御許可条件を満たす場合に、複数の電気錠５０の全てに対して一括施錠又は一括解錠を行うように制御する一括制御部８０とを備える構成となっている。
この構成では、各セキュリティエリア２０（管理区域）の現場にて特定ＩＣカード２００（メモリ７０ｃに登録された第２固有ＩＤが記録された第２記録媒体）をカードリーダ６０に読み取らせることにより、複数のセキュリティエリア２０の全てを一括施錠又は一括解錠することができる。従って、特定ＩＣカード２００を所持する者がセキュリティエリア２０又はその近くにいるときにはより迅速な一括施錠又は一括解錠が可能となる。
例えば、災害の発生時等において各セキュリティエリア２０に滞在している者の避難経路を迅速に確保したい場合には、第２固有ＩＤが記録された特定ＩＣカード２００を操作することによって、人手を割くことなく迅速かつ省力的に所望のセキュリティエリア２０の電気錠５０を一括して解錠することができる。また、犯罪発生時等において、各セキュリティエリア２０の状態を現状保存しておきたい場合にも、特定ＩＣカード２００を操作することによって、複数の電気錠５０を迅速に一括施錠することができる。
特に、制御すべき電気錠５０の数が多く、セキュリティエリア２０が広範囲に亘って存在する施設では、所望のセキュリティエリア２０を一括して施錠又は解錠することで、人手を大幅に削減してより迅速に対応することが可能となる。
【００７９】
また、メモリ７０ｃ（第２登録部）は、いずれかの運用カード１００（第１記録媒体）の第１固有ＩＤ（第１固有情報）と、いずれかの特定ＩＣカード２００（第２記録媒体）の第２固有ＩＤ（第２固有情報）とを対応付けて一括制御許可条件として登録している。そして、一括制御部８０は、いずれかのカードリーダ６０（読取部）によって運用カード１００の第１固有ＩＤ及び特定ＩＣカード２００の第２固有ＩＤが読み取られ、それら読み取られた第１固有ＩＤと第２固有ＩＤとの対応関係がメモリ７０ｃに登録された一括制御許可条件を満たす場合に一括施錠又は一括解錠を行うように制御する構成となっている。
この構成では、第１固有ＩＤが記録された運用カード１００と、当該第１固有ＩＤと対応付けられた第２固有ＩＤが記録された特定ＩＣカード２００とを所持していないと一括施錠又は一括解錠を行うことができないため、権限の無い者が何らかの方法で特定ＩＣカード２００を入手して使用するような不正使用のケースにおいて一括施錠又は一括解錠を行わないようにすることができる。
【００８０】
また、図７を参照して説明したように、個別解錠制御部は、カードリーダ６０によって第１固有ＩＤが読み取られた場合において当該第１固有ＩＤが個別解錠許可条件を満たす場合、その読み取ったカードリーダ６０に対応する電気錠５０を解錠する制御を行うように構成されている。そして、図７のように、一括制御部８０は、カードリーダ６０によって第１固有ＩＤが読み取られた場合において当該第１固有ＩＤが一括制御許可条件の対象である場合（即ち、Ｓ６でＹｅｓに進む場合）、少なくとも当該第１固有ＩＤの読み取り後の一定期間、当該一括制御許可条件に該当する第２固有ＩＤが当該カードリーダ６０によって読み取られたか否かを確認し、当該一括制御許可条件に該当する第２固有ＩＤがそのカードリーダ６０によって読み取られた場合（即ち、Ｓ１１にてＹｅｓに進む場合）に一括解錠を行うように制御するようになっている。
この構成では、運用カード１００を所持していれば通常の個別解錠を支障なく行うことができる。また、運用カード１００の読み取り後に特定ＩＣカード２００を確認するようにしているため、権限を有する者は運用カード１００に続けて特定ＩＣカード２００を読み取らせさえずれば両記録媒体の対応関係を装置側に認識させて円滑に一括解錠を行うことができる。
【００８１】
また、本構成では、一括解錠の場合には図７のように先に運用カード１００を確認し、一括施錠の場合には図８のように先に特定ＩＣカード２００を確認しているため、操作の順序によって一括解錠と一括施錠を使い分けることができる。
【００８２】
また、本構成では、それぞれのセキュリティエリア２０毎に報知部が設けられている。そして、報知部は、一括制御部８０が一括施錠又は一括解錠を行う場合に所定の報知を行うように構成されている。この構成では、一括施錠又は一括解錠が行われた場合にその旨を外部に知らしめることができ、その報知を受けた者は一括施錠又は一括解錠に応じた対応をとりやすくなる。一括施錠又は一括解錠に応じた対応は様々に考えられ、例えば、一括施錠時や一括解錠時の対応マニュアルが定められた環境では、一括施錠又は一括解錠がなされたことを迅速に把握してマニュアルに従った対応をとりやすくなる。
【００８３】
また、本構成では、カードリーダ６０によって第１固有ＩＤが読み取られ、且つ当該カードリーダ６０によって読み取られた第２固有ＩＤが一括制御許可条件を満たさない場合に、そのカードリーダ６０によって読み取られた第１固有ＩＤを記憶する履歴記憶部を有する構成となっている。
この構成では、第２固有ＩＤが一括制御許可条件を満たさない場合に関連して読み取られた第１固有ＩＤを履歴として残しておくことができるため、不正操作や誤った操作が行われた場合に真相究明や原因究明などを行いやすくなる。
【００８４】
また、一括制御部８０は、複数の電気錠５０にそれぞれ対応し且つ複数のカードリーダ６０にそれぞれ対応して設けられた複数のコントローラ７０を備える構成となっている。そして、複数のカードリーダ６０のいずれかによって特定ＩＣカード２００が読み取られた場合、その読み取りを行ったカードリーダ６０に対応するコントローラ７０は、当該特定ＩＣカード２００の第２固有ＩＤがメモリ７０ｃに登録された一括制御許可条件を満たす場合に、当該コントローラ７０以外の他のコントローラ７０に対して施錠又は解錠を指示し、それらの他のコントローラ７０は、対応する電気錠５０を、その指示に応じて施錠又は解錠するようになっている。
この構成では、特定ＩＣカード２００の読み取りを行ったカードリーダ６０に対応するコントローラ７０から他のコントローラ７０に直接的に一括施錠又は一括解錠の指示を発することができるため、一括制御許可条件の成立から他のコントローラ７０による実際の施錠制御又は解錠制御までの時間を極力短くすることができ、迅速な一括制御が可能となる。
なお、システムを管理するサーバなどを一旦経由して当該サーバから他のコントローラに上記指示を出力することも考えられるが、このように構成すると、サーバが故障などによってダウンしたときに他のコントローラに上記指示（一括施錠又は一括解錠の指示）を出力できなくなる懸念がある。これに対し、本構成では、このような懸念がなく、上記指示（一括施錠又は一括解錠の指示）をより確実に他のコントローラへ出力することができる。
【００８５】
また、一括制御部８０は、一括施錠又は一括解錠を行った場合に、その一括施錠状態又は一括解錠状態を予め設定された一定時間が経過するまで維持する構成となっている。
この構成では、設定された一定時間が経過するまで一括施錠状態又は一括解錠状態が維持されるため、少なくとも一定時間の間は一括施錠又は一括解錠の効果を確実なものにすることができる。また、設定によって一括施錠又は一括解錠を維持する時間を定めることができるため、使用環境に合わせた所望の設定時間で一括施錠又は一括解錠を行うことができる。
【００８６】
また、一括制御部８０は、複数のカードリーダ６０のいずれかによって読み取られた第２固有ＩＤが一括制御許可条件を満たす場合に一括施錠を行う構成であり、更に、一括施錠を行った後、所定の一括施錠解除条件を満たすまでの間、いずれかのカードリーダ６０によって個別解錠許可条件を満たす第１固有ＩＤが読み取られた場合、個別解錠制御部による解錠制御を停止して一括施錠の状態を維持する構成となっている。
この構成では、一括施錠が行われた後、一括施錠解除条件を満たすまでの間は、個別の解錠操作を排除して一括施錠状態を確実に維持することができ、例えば管理区域の現状保存等を行う場合などにおいてより有利になる。
【００８７】
また、一括制御部８０は、一括施錠又は一括解錠のいずれか一方の制御を行った後、更にいずれかのカードリーダ６０によって一括制御許可条件を満たす第２固有ＩＤが読み取られた場合に、上記一方の制御とは逆の他方の制御を行うように構成されている。
この構成では、例えば一括施錠を行った後、特定ＩＣカード２００の操作によって一括解錠を行うことが可能となり、一括施錠を行った後、何らかの理由によって一括解錠状態にしたい場合（例えば、犯罪などの発生時に一括施錠状態にした後、しばらくして一括解錠状態に戻したい場合など）において作業負担を抑えて迅速に対応することができる。或いは、一括解錠を行った後、特定ＩＣカード２００の操作によって一括施錠を行うことが可能となり、一括解錠を行った後、何らかの理由によって一括施錠状態にしたい場合（例えば、災害等の非常時に一括解錠状態にした後、しばらくして一括施錠状態に戻したい場合など）において作業負担を抑えて迅速に対応することができる。
【００８８】
或いは、一括制御部８０は、一括施錠又は一括解錠のいずれか一方の制御を行った後、更にいずれかのカードリーダ６０によって一括制御許可条件を満たす第２固有ＩＤが読み取られた場合に、一方の制御による一括施錠又は一括解錠の状態を解除するように構成されている。この構成では、一括施錠又は一括解錠が行われた後、その制御状態の維持が不要となった場合に作業負担を抑えて迅速に解除することができる。
【００８９】
［他の実施形態]
本発明は上記記述及び図面によって説明した実施形態に限定されるものではなく、例えば次のような実施形態も本発明の技術的範囲に含まれる。
【００９０】
上記第１実施形態では、カードリーダ６０が、セキュリティエリア２０の外側の入退口３０付近（例えば、扉４０に隣接する位置）に配置され、セキュリティエリア２０外からの操作が可能となるような構成を示したが、このカードリーダ又はこれとは別のカードリーダが、入退コントローラ７０に接続されつつセキュリティエリア２０の内側の入退口３０付近（例えば、扉４０に隣接する位置）に配置され、セキュリティエリア２０内からの操作が可能となるように構成されていてもよい。。この構成によって、セキュリティエリア２０の内側においても、カードリーダ６０での読み取り操作によって上記一括解錠制御及び一括施錠制御を行うことができる。
【００９１】
なお、上記実施形態では、各セキュリティエリア２０においてカードリーダ６０と入退コントローラ７０とが別々の位置に設けられた構成を例示したが、カードリーダ６０と入退コントローラ７０とが単一の筐体内に設けられた構成などであってもよく、例えば、入退コントローラ７１のＣＰＵ７１ａがカードリーダ６０の制御部６１ａを兼ねるような構成であってもよい。
【００９２】
なお、上記実施形態では、いずれかのコントローラ７０において一括解錠条件が成立した場合に、当該コントローラ７０を含む全てのコントローラ７０において対応する電気錠５０の解錠制御を行っていたが、いずれかのコントローラ７０において一括解錠条件が成立した場合に、当該コントローラ７０と他の特定コントローラ７０に対応する電気錠５０の解錠制御を行うようにしてもよい。例えば、第１入退コントローラ７１において一括解錠条件が成立した場合に、第１入退コントローラ７１に対応する電気錠５１と、第２入退コントローラ７２に対応する電気錠５２のみを一括解錠し、第３入退コントローラ７３に対応する電気錠５３は一括解錠の対象から外すようにしてもよい。また、コントローラ毎に一括解錠の範囲が決められていてもよい。例えば、第１入退コントローラ７１において一括解錠条件が成立した場合に、第１入退コントローラ７１に対応する電気錠５１と、第２入退コントローラ７２に対応する電気錠５２のみを一括解錠し、第２入退コントローラ７２において一括解錠条件が成立した場合に、第１〜第３入退コントローラ７１、７２、７３に対応する電気錠５１、５２、５３を全て一括解錠し、第３入退コントローラ７３において一括解錠条件が成立した場合に、第２入退コントローラ７２に対応する電気錠５２と、第３入退コントローラ７３に対応する電気錠５３のみを一括解錠するといった具合に、一括解錠の範囲を使い分けてもよい。また、一括施錠の場合も同様であり、いずれかのコントローラ７０において一括施錠条件が成立した場合に、当該コントローラ７０と他の特定コントローラ７０に対応する電気錠５０の解錠制御を行うようにしてもよい。例えば、第１入退コントローラ７１において一括施錠条件が成立した場合に、第１入退コントローラ７１に対応する電気錠５１と、第２入退コントローラ７２に対応する電気錠５２のみを一括施錠し、第２入退コントローラ７２において一括施錠条件が成立した場合に、第１〜第３入退コントローラ７１、７２、７３に対応する電気錠５１、５２、５３を全て一括施錠し、第３入退コントローラ７３において一括施錠条件が成立した場合に、第２入退コントローラ７２に対応する電気錠５２と、第３入退コントローラ７３に対応する電気錠５３のみを一括施錠するといった具合に、一括施錠の範囲を使い分けてもよい。
【符号の説明】
【００９３】
１…入退管理システム
３…施設
２０…セキュリティエリア（管理区域）
２１…第１セキュリティエリア（管理区域）
２２…第２セキュリティエリア（管理区域）
２３…第３セキュリティエリア（管理区域）
２０ａ，２１ａ，２２ａ，２３ａ…ＣＰＵ（報知部）
２０ｃ，２１ｃ，２２ｃ，２３ｃ…メモリ（第１登録部、第２登録部、履歴記憶部）
３０，３１，３２，３３…入退口
４０，４１，４２，４３…扉
５０，５１，５２，５３…電気錠
６０，６１，６２，６３…カードリーダ（読取部）
７０，７１，７２，７３…入退コントローラ（コントローラ、個別解錠制御部）
８０…一括制御部
１００…運用カード（第１記録媒体）
２００…特定ＩＣカード（第２記録媒体）
【図１】
2014211035.tif 000003
【図２】
2014211035.tif 000004
【図３】
2014211035.tif 000005
【図４】
2014211035.tif 000006
【図５】
2014211035.tif 000007
【図６】
2014211035.tif 000008
【図７】
2014211035.tif 000009
【図８】
2014211035.tif 000010
【図９】
2014211035.tif 000011